(57)【要約】【課題】ズームファインダーにおいて、光学性能を低下させることなく撮影方向に薄型化する。【解決手段】物体側から順に、負の第１群第１レンズ(Ｌ１１)と反射部材(Ｈ１)とを物体側からこの順に配置してなる第１レンズ群(Ｇ１)、変倍時に移動させる正の第２レンズ群(Ｇ２)、変倍時に移動させる正の第３レンズ群(Ｇ３)からなる変倍対物レンズ系、倒立逆像を正立正像に変換するための反射面を有する正立光学系(２０)、正の接眼レンズ系(３０)からなるものとし、条件式（１）：１．５＜Ｕ２／Ｕ１＜３．０を満たすようにする。ただし、Ｕ１を、望遠端における第１群第１レンズ(Ｌ１１)の物体側のレンズ面(Ｓａ)から第２レンズ群(Ｇ２)中の最も物体側に配されたレンズ面(Ｓｂ)までの光軸上の距離とし、Ｕ２を、広角端での第１群第１レンズ(Ｌ１１)の物体側のレンズ面(Ｓａ)から第３レンズ群(Ｇ３)中の最も像側に配されたレンズ面(Ｓｃ)までの光軸上の距離と上記Ｕ１との差とする。【選択図】図１
2013005376.tif 000002
【特許請求の範囲】
【請求項１】
物体側から順に、正の屈折力を有する変倍対物レンズ系、正立光学系、正の屈折力を有する接眼レンズ系からなる実像式ズームファインダーであって、
前記変倍対物レンズ系が、物体側から順に、負の屈折力を有する第１レンズと反射部材を物体側からこの順に配置してなり変倍時に固定される第１レンズ群、正の屈折力を有し変倍時に移動させる第２レンズ群、正の屈折力を有し変倍時に移動させる第３レンズ群からなり、
前記正立光学系が、前記変倍対物レンズ系によって形成された倒立逆像を正立正像に変換するための１つ以上の反射面を有するとともに、変倍時に固定されるものであり、
前記接眼レンズ系が、正の屈折力を有し変倍時に固定されるものであり、
以下の条件式（１）を満足することを特徴とする実像式ズームファインダー。
１．５＜Ｕ２／Ｕ１＜３．０  ・・・（１）
ただし、
Ｕ１：ズーム設定が望遠端に定められた状態における第１レンズの物体側のレンズ面から第２レンズ群中の最も物体側に配されたレンズ面までの光軸上の距離
Ｕ２：ズーム設定が望遠端に定められた状態における第１レンズの物体側のレンズ面から第２レンズ群中の最も物体側に配されたレンズ面までの光軸上の距離と、ズーム設定が広角端に定められた状態における第１レンズの物体側のレンズ面から第３レンズ群中の最も像側に配されたレンズ面までの光軸上の距離との差
【請求項２】
以下の条件式（２）を満足することを特徴とする請求項１記載の実像式ズームファインダー。
１．５＜｜ｆ２／ｆ１｜＜２．０  ・・・（２）
ただし、
ｆ１：第１レンズ群の焦点距離
ｆ２：第２レンズ群の焦点距離
【請求項３】
以下の条件式（３）を満足することを特徴とする請求項１または２記載の実像式ズームファインダー。
１．０＜ｆ３／ｆ２＜５．０  ・・・（３）
ただし、
ｆ３：第３レンズ群の焦点距離
【請求項４】
前記第１レンズ群中の反射部材が、前記第１レンズを通って入射した光の光路を前記第１レンズの光軸方向に対して直交する光軸直交方向へ折り曲げるものであり、
前記第２レンズ群および前記第３レンズ群が、前記折り曲げられて光軸直交方向へ伝搬する光の光路中に配置されたものであり、
前記正立光学系が、前記変倍対物レンズ系を通って前記光軸直交方向へ伝搬する光の光路を前記第１レンズの光軸方向に折り曲げるものであることを特徴とする請求項１から３のいずれか１項記載の実像式ズームファインダー。
【請求項５】
請求項１から４のいずれか１項記載の実像式ファインダーを備えたことを特徴とする撮影装置。
【発明の詳細な説明】
【技術分野】
【０００１】
本発明は、変倍対物レンズ系,正立光学系,接眼レンズ系を適切に設定することにより良好なファインダー像を得る事が出来る実像式ズームファインダーおよび撮影装置に関するものである。
【背景技術】
【０００２】
従来より、正の屈折力を有する対物レンズにより上下左右の反転された実像を形成し、その実像を、１つ又は複数のプリズムの組み合わせからなる正立プリズムを用いて正立正像とし、さらにその正立正像を正の屈折力を有する接眼レンズで変倍し拡大するように構成された実像式ズームファインダーが知られている。また、このような実像式ズームファインダーを搭載した撮影装置も知られている。【０００３】
そのような実像式ズームファインダーを構成する対物レンズとして、例えば、物体側から順に、負の屈折力を有する第１レンズ群、正の屈折力を有する第２レンズ群、負の屈折力を有する第３レンズ群、正の屈折力を有する第４レンズ群からなり、この第４レンズ群には、物体側のレンズ面が凸面をなすプリズムを採用したものが知られている（特許文献１参照）。【０００４】
さらに、実像式ズームファインダーを構成する対物レンズとして、例えば、物体側から順に、正の屈折力を有する第１レンズ群、負の屈折力を有する第２レンズ群、正の屈折力を有する第３レンズ群、負の屈折力を有する第４レンズ群からなり、第３レンズ群には、物体側のレンズ面および像側のレンズ面が両方共に凸面をなすプリズムを採用したものも知られている（特許文献２参照）。
【先行技術文献】
【特許文献】
【０００５】
【特許文献１】特開平８−１９０１３０号公報
【特許文献２】特開２００３−１３１２９２号公報
【発明の概要】
【発明が解決しようとする課題】
【０００６】
ところで、上記のような実像式ズームファインダーについて、４倍程度の変倍比を確保しつつ薄型化したいという要請がある。ここで、薄型化が要請されている方向は、撮影方向であり、カメラの厚さ方向である。【０００７】
しかしながら、特許文献１に記載の実像式ファインダーは、カメラの厚さ方向の長さが対物レンズ、プリズム、接眼レンズそれぞれの厚みの和となる為、ズーム倍率を４倍程度に大きくしようとすると薄型化が困難になるという問題がある。【０００８】
また、特許文献２に記載の実像式ファインダーは、第３レンズ群をプリズムで構成して光路を折り曲げ、その前後に配された第２レンズ群および第４レンズ群を移動群とすることで撮影方向の厚みを小さくして薄型化しようとしている。しかしながら、光路が折り曲げられる第３レンズ群よりも物体側に配されている撮影方向に並ぶ第１レンズ群および第２レンズ群の２つのレンズ群を配置するための厚みが大きくなる為、十分な薄型化を達成することが難しいという問題がある。【０００９】
本発明は、上記事情に鑑みてなされたものであり、光学性能を低下させることなく撮影方向に薄型化することができる実像式ズームファインダー、およびこの実像式ズームファインダーを用いた撮影装置を提供することを目的とするものである。
【課題を解決するための手段】
【００１０】
本発明の実像式ズームファインダーは、物体側から順に、正の屈折力を有する変倍対物レンズ系、正立光学系、正の屈折力を有する接眼レンズ系からなる実像式ズームファインダーであって、変倍対物レンズ系が、物体側から順に、負の屈折力を有する第１レンズと反射部材を物体側からこの順に配置してなり変倍時に固定される第１レンズ群、正の屈折力を有し変倍時に移動させる第２レンズ群、正の屈折力を有し変倍時に移動させる第３レンズ群からなり、正立光学系が、変倍対物レンズ系によって形成された倒立逆像を正立正像に変換するための１つ以上の反射面を有するとともに、変倍時に固定されるものであり、
前記接眼レンズ系が、正の屈折力を有し変倍時に固定されるものであり、条件式（１）：１．５＜Ｕ２／Ｕ１＜３．０を満足することを特徴とするものである。【００１１】
ただし、Ｕ１は、ズーム設定が望遠端に定められた状態における第１レンズの物体側のレンズ面から第２レンズ群中の最も物体側に配されたレンズ面までの光軸上の距離とする。【００１２】
また、Ｕ２は、ズーム設定が望遠端に定められた状態における第１レンズの物体側のレンズ面から第２レンズ群中の最も物体側に配されたレンズ面までの光軸上の距離と、ズーム設定が広角端に定められた状態における第１レンズの物体側のレンズ面から第３レンズ群中の最も像側に配されたレンズ面までの光軸上の距離との差とする。【００１３】
この実像式ズームファインダーは、条件式（２）：１．５＜｜ｆ２／ｆ１｜＜２．０を満足するものとすることが望ましい。【００１４】
ただし、ｆ１を第１レンズ群の焦点距離、ｆ２を第２レンズ群の焦点距離とする。【００１５】
上記実像式ズームファインダーは、条件式（３）：１．０＜ｆ３／ｆ２＜５．０を満足するものとすることが望ましい。【００１６】
ただし、ｆ３を第３レンズ群の焦点距離とする。【００１７】
前記第１レンズ群中の反射部材は、第１レンズを通って入射した光の光路を第１レンズの光軸方向に対して直交する光軸直交方向へ折り曲げるものとすることができ、第２レンズ群および第３レンズ群は、前記折り曲げられて光軸直交方向へ伝搬する光の光路中に配置されたものとすることができ、正立光学系は、変倍対物レンズ系を通って光軸直交方向へ伝搬する光の光路を第１レンズの光軸方向に折り曲げるものとすることができる。【００１８】
本発明の撮影装置は、上記実像式ズームファインダーを備えたことを特徴とするものである。【００１９】
なお、上記実像式ズームファインダーは、上記３つの光学系（すなわち、変倍対物レンズ系、正立光学系、接眼レンズ系）以外に、実質的に屈折力を有さないレンズ、絞りやカバーガラス等レンズ以外の光学要素、レンズフランジ、レンズバレル、手振れ補正機構等の機構部分、等を持つものとすることができる。【００２０】
また、上記実像式ズームファインダーが非球面レンズを配して構成されるものである場合には、その非球面レンズの屈折力の正負は、非球面レンズの近軸領域での屈折力の正負によって規定するものとする。
【発明の効果】
【００２１】
本発明の実像式ズームファインダーおよび撮影装置によれば、物体側から順に、正の屈折力を有する変倍対物レンズ系、正立光学系、正の屈折力を有する接眼レンズ系から構成される実像式ズームファインダーであって、変倍対物レンズ系を、物体側から順に、負の屈折力を有する第１レンズと反射部材とを物体側から順に配置してなり変倍時に固定される第１レンズ群、正の屈折力を有し変倍時に移動させる第２レンズ群、正の屈折力を有し変倍時に移動させる第３レンズ群からなるものとし、正立光学系を、変倍対物レンズ系によって形成された倒立逆像を正立正像に変換するための１つ以上の反射面を有するとともに、変倍時に固定されるものとし、接眼レンズ系を、正の屈折力を有し変倍時に固定されるものとし、条件式（１）：１．５＜Ｕ２／Ｕ１＜３．０を満足するようにしたので、光学性能を低下させることなく撮影方向に薄型化することができる。【００２２】
すなわち、上記のように構成したことにより、反射部材で反射されてから正立光学系の反射面で反射されるまでの光路を、撮影方向に対して直交する方向（以後、撮影直交方向ともいう）とすることができ、撮影直交方向の光路長を長くして撮影方向の光路長を短くすることにより、この実像式ズームファインダーを通る光の光路長の全長を短縮せずに、撮影方向の光路長を短かくすることができる。これにより、この実像式ズームファインダーを、光学性能を低下させることなく（例えば、４倍程度の変倍比を確保しつつ）、撮影方向に薄型化することができる。【００２３】
さらに、反射部材よりも物体側に配される第１レンズ、および正立光学系よりも像側に配される接眼レンズ系を、この実像式ズームファインダーの厚みに対応する光学系とし、さらに、これらの光学系を両方共に変倍時に固定されるものとしたので、より確実にこの実像式ズームファインダーを撮影方向に薄型化することができる。【００２４】
なお、条件式（１）の下限値を下回るように実像式ズームファインダーを構成すると、変倍時における第２レンズ群Ｇ２と第３レンズ群Ｇ３の移動距離が短くなるため、像面湾曲等の収差の補正が難しくなるという問題が生じる。一方、条件式（１）の上限値を上回るように実像式ズームファインダーを構成すると、撮影直交方向の寸法を大きくせねばならなくなり、実像式ズームファインダーをコンパクトに構成することが難しくなる。また、この実像式ズームファインダーを備えた撮影装置の撮影直交方向のサイズも大きくせねばならなくなり、この撮影装置をコンパクトに構成することも難しくなる。
【図面の簡単な説明】
【００２５】
【図１】本発明の実像式ズームファインダー、およびこの実像式ズームファインダーを備えた撮影装置の概略構成を示す断面図
【図２】ズーム設定が広角端に定められたときの実像式ズームファインダーの断面とズーム設定が望遠端に定められたときの実像式ズームファインダーの断面とを比較して示す断面図
【図３】本発明の実像式ズームファインダー、およびこの実像式ズームファインダーを備えた撮影装置のより具体的な構成を示す断面図
【図４】正立光学系を拡大して示す斜視図
【図５Ａ】反射部材としてプリズムを採用した実像式ズームファインダーの断面を示す断面図
【図５Ｂ】反射部材として反射ミラーを採用した実像式ズームファインダーの断面を示す断面図
【図６】実施例１の実像式ズームファインダーの構成および光路を展開して示す図
【図７】実施例２の実像式ズームファインダーの構成および光路を展開して示す図
【図８】実施例３の実像式ズームファインダーの構成および光路を展開して示す図
【図９】実施例４の実像式ズームファインダーの構成および光路を展開して示す図
【図１０】実施例５の実像式ズームファインダーの構成および光路を展開して示す図
【図１１】実施例６の実像式ズームファインダーの構成および光路を展開して示す図
【図１２】実施例１の実像式ズームファインダーの収差を示す図である。
【図１３】実施例２の実像式ズームファインダーの収差を示す図である。
【図１４】実施例３の実像式ズームファインダーの収差を示す図である。
【図１５】実施例４の実像式ズームファインダーの収差を示す図である。
【図１６】実施例５の実像式ズームファインダーの収差を示す図である。
【図１７】実施例６の実像式ズームファインダーの収差を示す図である。
【発明を実施するための形態】
【００２６】
以下、本発明の実像式ズームファインダーおよびこの実像式ズームファインダーを備えた撮影装置について図面を参照して説明する。
【００２７】
図１は、本発明の実像式ズームファインダー、およびこの実像式ズームファインダーを備えた撮影装置の概略構成を示す断面図、図２は、ズーム設定が広角端に定められた実像式ズームファインダーの断面とズーム設定が望遠端に定められた実像式ズームファインダーの断面とを比較して示す断面図である。なお、図２中の上段にはズーム設定が広角端に定められた状態を示し（ＷＩＤＥの記載有り）、図２中の下段にはズーム設定が望遠端に定められた状態を示している（ＴＥＬＥの記載有り）。
【００２８】
図示の実像式ズームファインダー１００は、物体側から順に配置された、正の屈折力を有する変倍対物レンズ系１０、正立光学系２０、正の屈折力を有する接眼レンズ系３０からなるものとすることができる。
【００２９】
上記正の屈折力を有する変倍対物レンズ系１０は、物体側から順に、負の屈折力を有する第１レンズ（第１群第１レンズＬ１１）と反射部材Ｈ１を物体側からこの順に配してなる第１レンズ群Ｇ１、正の屈折力を有する第２レンズ群Ｇ２、正の屈折力を有する第３レンズ群Ｇ３からなるものとすることができる。ここで、第１レンズ群Ｇ１は変倍時に固定され、第２レンズ群Ｇ２と第３レンズ群Ｇ３は変倍時に移動させるものである。
【００３０】
なお、反射部材Ｈ１には、反射ミラーやプリズムを用いることができ、この反射部材Ｈ１は屈折力を持つものとしたり、屈折力を持たないものとすることができる。
【００３１】
正立光学系２０は、変倍対物レンズ系１０によって形成された倒立逆像を正立正像に変換するための１つ以上の反射面を有するとともに、変倍時に固定されるものである。
【００３２】
この正立光学系２０は、１つの光学部材又は複数の光学部材の組み合わせからなるものとすることができる。
【００３３】
また、この正立光学系２０は、屈折力を持つものとしたり、屈折力を持たないものとすることができる。
【００３４】
接眼レンズ系３０は、正の屈折力を有し変倍時に固定されるものである。
【００３５】
この実像式ズームファインダー１００は、第１群第１レンズＬ１１を通って入射した光の光路を反射部材Ｈ１がこの第１群第１レンズＬ１１の光軸方向（撮影方向；図中矢印Ｚ方向）に対して直交する方向（撮影直交方向；図中矢印Ｘ方向）へ折り曲げ、この折り曲げられて撮影直交方向へ伝搬する光の光路中に第２レンズ群Ｇ２および第３レンズ群Ｇ３が配置されている。さらに、正立光学系２０の有する反射面により、変倍対物レンズ系１０を通って撮影直交方向へ伝搬する光の光路を再び撮影方向に折り曲げ、この折り曲げられて撮影方向へ伝搬する光の光路中に接眼レンズ系３０が配置されるように構成されている。
【００３６】
ここで、第１群第１レンズＬ１１の光軸である撮影方向に延びる光軸部Ｋｊ１と第２レンズ群および第３レンズ群に共通の光軸である撮影直交方向に延びる光軸部Ｋｊ２とは直交し、第１群第１レンズＬ１１の光軸Ｋｊ１と上記接眼レンズ系３０の光軸である撮影方向に延びる光軸部Ｋｊ３とは平行となる。
【００３７】
さらに、上記実像式ズームファインダー１００は、条件式（１）：１．５＜Ｕ２／Ｕ１＜３．０を満足するものである。
【００３８】
ただし、Ｕ１は、ズーム設定が望遠端に定められた状態における第１群第１レンズＬ１１の物体側のレンズ面Ｓａから第２レンズ群Ｇ２中の最も物体側に配されたレンズ面Ｓｂまでのこの実像式ズームファインダー１００全体を通る折れ曲がった光軸である全体光軸Ｋｊ上における距離（光路に沿った距離）である。
【００３９】
また、Ｕ２は、ズーム設定が望遠端に定められた状態における第１群第１レンズＬ１１の物体側のレンズ面Ｓａから第２レンズ群Ｇ２中の最も物体側に配されたレンズ面Ｓｂまでの上記全体光軸Ｋｊ上における距離と、ズーム設定が広角端に定められた状態における第１群第１レンズＬ１１の物体側のレンズ面Ｓａから第３レンズ群Ｇ３中の最も像側に配されたレンズ面Ｓｃまでの全体光軸Ｋｊ上における距離との差である。
【００４０】
ここでは、図２に示すように、上記距離の値Ｕ１は、ズーム設定が望遠端に定められた状態における、「第１群第１レンズＬ１１の物体側のレンズ面Ｓａから反射部材Ｈ１の反射面ｈａまでの光軸上の距離の値Ｕａ」と「反射面ｈａから第２レンズ群Ｇ２中の最も物体側に配されたレンズ面Ｓｂまでの光軸上の距離の値Ｕｂ」との和として求めることができる。
【００４１】
すなわち、ここでは、Ｕ１の値は、Ｕ１＝Ｕａ＋Ｕｂの式によって求めるられるものである。
【００４２】
また、図２に示すように、上記距離の値Ｕ２は、上記「値Ｕ１」と、「ズーム設定が広角端に定められた状態における、第１群第１レンズＬ１１の物体側のレンズ面Ｓａから反射部材Ｈ１の反射面ｈａまでの光軸上の距離の値Ｕａと反射面ｈａから第３レンズ群Ｇ３中の最も像側に配されたレンズ面Ｓｃまでの光軸上の距離の値Ｕｃ」との差として求めることができる。
【００４３】
すなわち、ここでは、Ｕ２の値は、Ｕ２＝｜Ｕｃ−Ｕ１｜の式によって求められるものである。なお、Ｕ２＝｜Ｕｃ−Ｕ１｜の式は、Ｕ２＝｜Ｕｃ−Ｕ１｜＝｜（Ｕａ＋Ｕｃ）−（Ｕａ＋Ｕｂ）｜＝｜Ｕｃ−Ｕｂ｜のように変形することができる。
【００４４】
なお、実像式ズームファインダー１００は、ｆ１を第１レンズ群Ｇ１の焦点距離、ｆ２を第２レンズ群の焦点距離としたときに、条件式（２）：１．５＜｜ｆ２／ｆ１｜＜２．０を満足するものとすることができる。
【００４５】
条件式（２）の下限値を下回るように実像式ズームファインダー１００を構成すると、第１レンズ群Ｇ１に対して第２レンズ群Ｇ２のパワーが相対的に大きくなりすぎて、変倍時における像面湾曲等の収差変動が大きくなりすぎてしまうという問題が生じる。一方、条件式（２）の上限値を上回るように実像式ズームファインダー１００を構成すると、第１レンズ群Ｇ１に対して第２レンズ群Ｇ２のパワーが相対的に小さくなりすぎて、実像式ズームファインダー１００における撮影直交方向のサイズをコンパクトにすることが困難となり、カメラ２００をコンパクトに構成することが難しくなるという問題が生じる。
【００４６】
さらに、実像式ズームファインダー１００は、ｆ３を第３レンズ群Ｇ３の焦点距離としたときに、条件式（３）：１．０＜ｆ３／ｆ２＜５．０を満足するものとすることができる。
【００４７】
条件式（３）の下限値を下回ると、第３レンズ群Ｇ３のパワーが大きくなりすぎて、変倍時の第３レンズ群Ｇ３の移動量に対する光学性能の変化量が大きくなりすぎてしまい、すなわち、光学性能の変化に対する感度（例えば、収差補正に対する感度）が高くなりすぎてしまい、変倍時に第３レンズ群Ｇ３に求められる位置決め精度が高精度になりすぎて製造上の問題が生じる。一方、条件式（３）の上限を上回ると、第２レンズ群Ｇ２のパワーが大きくなりすぎて、変倍時の第２レンズ群Ｇ２の移動量に対する光学性能の変化量が大きくなりすぎてしまい、上記と同様に、光学性能の変化に対する感度（例えば、収差補正に対する感度）が高くなりすぎてしまい、変倍時に第２レンズ群Ｇ２に求められる位置決め精度が高精度になりすぎて製造上の問題が生じる。
【００４８】
上記実像式ズームファインダー１００は、物体側（図１参照）に配された被写体１を表す光学像を像側（図１参照）に導いて、例えば目視によりこの光学像を観察するために用いることができるものである。この実像式ズームファインダー１００によれば、光学性能を低下させることなく撮影方向（図中矢印Ｚで示す方向）に薄型化することができる。
【００４９】
また、実像式ズームファインダー１００を備えた撮影装置であるカメラ２００は、このカメラ２００の備える撮影用レンズ２０１を通して被写体１を撮影するものであり、例えば、デジタルスチルカメラや銀塩フィルム用のスチルカメラなどとすることができる。
【００５０】
上記実像式ズームファインダー１００の撮影方向への薄型化にともない、カメラ２００も撮影方向に薄型化することができる。なお、この場合の撮影方向は、被写体１から発せられた光が撮影用レンズ２０１へ入射する方向でもある。
【００５１】
〔実施例〕
以下、本発明の実像式ズームファインダーに関する実施例１〜６のより具体的な構成について、図３、図４を参照して説明する。
【００５２】
図３は、本発明の実像式ズームファインダー、およびこの実像式ズームファインダーを備えた撮影装置のより具体的な構成を示す断面図、図４は正立光学系を拡大して示す斜視図である。なお、実施例１〜６の各実像式ズームファインダーは、いずれも上記実像式ズームファインダー１００の持つ構成を満足するものである。
【００５３】
上記実施例１〜６の各実像式ズームファインダーは、物体側から順に、正の屈折力を有する変倍対物レンズ系１０、正立光学系２０、正の屈折力を有する接眼レンズ系３０を配置してなるものであり、具体的には以下のように構成されたものである。
【００５４】
上記実施例において、変倍対物レンズ系１０の第１レンズ群Ｇ１は、負の屈折力を有する１枚のレンズである第１群第１レンズＬ１１と反射面ｈａを有する反射部材Ｈａである第１群第１反射ミラーＨａｍまたは第１群第１プリズムＨａｐがこの順に配置されたものである。また、第２レンズ群Ｇ２としては、正の屈折力を有する１枚のレンズである第２群第１レンズＬ２１のみが配置されている。第３レンズ群Ｇ３としては、正の屈折力を有する１枚のレンズである第３群第１レンズＬ３１のみが配置されている。
【００５５】
正立光学系２０は、ここでは、１つの反射面ｈｂを有する正立光学第１プリズムＨｂｐ１と、２つの反射面ｈｃ、ｈｄを有する正立光学第２プリズムＨｂｐ２との組み合わせからなるものである。
【００５６】
また、接眼レンズ系３０は、ここでは、正の屈折力を有する１枚のレンズである接眼第１レンズＬＳ１のみからなるものである。
【００５７】
なお、第１レンズ群Ｇ１は、１枚の第１群第１レンズＬ１１と１枚の反射部材Ｈａのみで構成する場合に限らず、３つ以上の光学要素からなるものとしてもよい。
【００５８】
また、第２レンズ群Ｇ２、第３レンズ群Ｇ３、接眼レンズ系３０それぞれは、１枚のレンズからなるものとする場合に限らず、２つ以上のレンズを有するものとしてもよい。
【００５９】
以下、本発明の実像式ズームファインダーの実施例１〜６のレンズデータや収差等について、図５Ａ，図５Ｂ、図６〜１１、および図１２〜１７等を参照して説明する。
【００６０】
図５Ａは、反射部材Ｈａとして第１群第１プリズムＨａｐを採用した実施例１〜５の実像式ズームファインダーに係る断面を示す断面図であり、レンズ面や反射面の面番号としてＳ１〜Ｓ１４が記載されている。
【００６１】
図５Ｂは、反射部材Ｈａとして第１群第１反射ミラーＨａｍを採用した実施例６の実像式ズームファインダーに係る断面を示す断面図であり、レンズ面や反射面の面番号としてＳ１〜Ｓ１２が記載されている。
【００６２】
図６〜１１の各図は、実施例１〜６の各実像式ズームファインダーの構成および光路を展開して示す図である。すなわち、各実像式ズームファインダーの折れ曲がっている全体光軸Ｋｊが１本の直線として示されるように展開したものである。
【００６３】
なお、図６〜１１の各図の上段にはズーム設定を広角端に定めたときの状態（図中に「ＷＩＤＥ」で示す）、下段にはズーム設定を望遠端に定めたときの状態（図中に「ＴＥＬＥ」で示す）を示している。
【００６４】
また、図１２〜１７の各図は、実施例１〜６の各実像式ズームファインダーの収差を示す図である。
【００６５】
＜実施例１＞
図６は、実施例１の実像式ズームファインダーの構成および光路を展開して示す図である。
【００６６】
また、後述する表１Ａは、実施例１の実像式ズームファインダーに関する諸データを示す図である。表１Ａの上段にはレンズデータが、下段には実像式ズームファインダーのズームに関するデータが示されている。
【００６７】
表１Ａの上段のレンズデータにおいて、面番号Ｓｉは、最も物体側から像側に向かうに従い順次増加するｉ番目（ｉ＝１、２、３、・・・）のレンズ面等の番号を示す。
【００６８】
曲率半径Ｒｉはｉ番目（ｉ＝１、２、３、・・・）の面の曲率半径を示し、面間隔Ｄｉ（ｉ＝１、２、３、・・・）はｉ番目の面とｉ＋１番目の面との光軸Ｋｊ上における面間隔を示す。レンズデータの記号Ｒｉおよび記号Ｄｉは、レンズ面等を示す記号Ｓｉ（ｉ＝１、２、３、・・・）と対応している。
【００６９】
なお、面間隔Ｄｉ（ｉ＝１、２、３、・・・）の欄には面間隔を示す数値が記載されている場合と、記号Ｄｍ（ｍは整数）が記載されている場合とがあるが、記号Ｄｍが記載されているところはレンズ群間の面間隔（空気間隔）に対応しており、それらの面間隔（空気間隔）は変倍比（ズーム倍率）の変更に応じて変化する。
【００７０】
Ｎｊは物体側から像側に向かうに従い順次増加するｊ番目（ｊ＝１、２、３、・・・）の光学要素について波長５８７．６ｎｍ（ｄ線）に対する屈折率を示し、νｊはｊ番目の光学要素のｄ線を基準としたアッベ数を示す。
【００７１】
表１Ａのレンズデータにおいて、曲率半径および面間隔の単位はｍｍであり、曲率半径は物体側に凸の場合を正、像側に凸の場合を負としている。
【００７２】
なお、上記のような光学系は、一般にレンズ等の光学要素の寸法を比例拡大または比例縮小しても所定の性能を維持することが可能なため、上記レンズデータ全体を比例拡大または比例縮小したズームレンズについても本発明に係る実施例とすることができる。
【００７３】
また、表１Ａの下段のズームに関するデータとしては、広角端（ＷＩＤＥ）と望遠端（ＴＥＬＥ）とにおける各レンズ群間の間隔：Ｄ４、Ｄ６、Ｄ８および、ファインダー倍率：ｍ、視野角（全画角）：２ωを示す。
【表１Ａ】
2013005376.tif 000003
【００７４】
また、表１Ｂに実施例１の実像式ズームファインダーにおける非球面の形状を表す非球面係数を示す。なお、表１Ａにおけるレンズデータの面番号に付加した＊印はその面が非球面であることを示しており、その面番号に対応する非球面の形状を表す非球面係数が表１Ｂに示されている。
【００７５】
なお、非球面レンズの屈折力の正負は、この非球面レンズの近軸領域での屈折力の正負によって規定するものとする。
【００７６】
また、表１Ｂに記載されている非球面係数は、下記非球面式に適用して非球面形状が定められるように作成されたものである。
【００７７】
Ｚ＝Ｃ・ｈ2／｛１＋（１−Ｋ・Ｃ2・ｈ2）１／２｝＋ΣＡｎ・ｈｎ 
ただし、
Ｚ：非球面の深さ（ｍｍ）
ｈ：光軸からレンズ面までの距離（高さ）（ｍｍ）
Ｋ：２次曲面を表す非球面係数
Ｃ：近軸曲率＝１／Ｒ（１／ｍｍ）（Ｒ：近軸曲率半径（ｍｍ））
Ａｎ：第ｎ次（ｎは３以上の整数）の非球面係数
【表１Ｂ】
2013005376.tif 000004
【００７８】
図１２は、実施例１の実像式ズームファインダーの広角端（ＷＩＤＥ）、および望遠端（ＴＥＬＥ）それぞれにおける球面収差、非点収差、およびディストーションを示す図である。図中には、ｄ線、ｇ線、ｃ線の各光に関する収差が示されている。なお、非点収差図には、サジタル像面およびタンジェンシャル像面に対する収差が示されている。
【００７９】
図１２中に示すように、記号（Ｗａ）、（Ｔａ）で示す図が球面収差を、記号（Ｗｂ）、（Ｔｂ）で示す図が非点収差を、記号（Ｗｃ）、（Ｔｃ）で示す図がディストーションを表している。
【００８０】
また、実施例の説明の最後に示す表７には、１から６の各実施例毎に条件式（１）、（２）、（３）それぞれに記載されている数式から求まる値を示す。なお、各条件式中に記載されている数式の値は、表１Ａ、表１Ｂ・・・表６Ａ、表６Ｂに示す諸データ等から求めることができる。
【００８１】
この実施例１の実像式ズームファインダーは、アフォーカル系ファインダであり、上記表１Ａに示すように、広角端においてファインダー倍率ｍが０．３５倍、視野角２ωが６４．４度で、望遠端においてファインダー倍率ｍが１．３８倍、視野角２ωが１５．９度である。
【００８２】
上記データ等から解るように実施例１の実像式ズームファインダーは、光学性能を低下させることなく撮影方向に薄型化することができるものである。
【００８３】
なお、上記実施例１の実像式ズームファインダーの構成を示す図６、この実像式ズームファインダーの収差を示す図１２、実像式ズームファインダーのレンズデータ等を示す表１Ａ、表１Ｂ、および条件式（１）、（２）、（３）中の各数式の値を示す表７等の読取り方は、後述する実施例２〜６についても同様なので、以後の実施例についてはそれらの説明を省略する。
【００８４】
なお、実施例６についてのみ、表６Ａに示すように面番号が１２までであり、実施例６の各レンズ群間の間隔がＤ２、Ｄ４、Ｄ６の位置となっている点、および反射部材が反射ミラーで形成されている点で、この実施例６は他の実施例１〜５との違いがある。
【００８５】
＜実施例２＞
図７は、実施例２の実像式ズームファインダーの構成および光路を展開して示す図である。
【００８６】
また、表２Ａは、実施例２の実像式ズームファインダーに関する諸データを示す図である。表２Ａの上段にはレンズデータが、下段には実像式ズームファインダーのズームに関するデータが示されている。
【表２Ａ】
2013005376.tif 000005
【００８７】
また、表２Ｂに実施例２の実像式ズームファインダーを構成する非球面の形状を表す非球面係数を示す。
【表２Ｂ】
2013005376.tif 000006
【００８８】
図１３は、実施例２の実像式ズームファインダーの広角端（ＷＩＤＥ）、および望遠端（ＴＥＬＥ）それぞれにおける球面収差、非点収差、およびディストーションを示す図である。
【００８９】
なお、実施例２の実像式ズームファインダーは、アフォーカル系ファインダであり、上記表２Ａに示すように、広角端においてファインダー倍率ｍが０．４３倍、視野角２ωが５８．３度で、望遠端においてファインダー倍率ｍが１．７２倍、視野角２ωが１３．３度である。
【００９０】
上記データ等から解るように、実施例２の実像式ズームファインダーも、光学性能を低下させることなく撮影方向に薄型化することができるものである。
【００９１】
＜実施例３＞
図８は、実施例３の実像式ズームファインダーの構成および光路を展開して示す図である。
【００９２】
また、表３Ａは、実施例３の実像式ズームファインダーに関する諸データを示す図である。表３Ａの上段にはレンズデータが、下段には実像式ズームファインダーのズームに関するデータが示されている。
【表３Ａ】
2013005376.tif 000007
【００９３】
また、表３Ｂに実施例３の実像式ズームファインダーを構成する非球面の形状を表す非球面係数を示す。
【表３Ｂ】
2013005376.tif 000008
【００９４】
図１４は、実施例３の実像式ズームファインダーの広角端（ＷＩＤＥ）、および望遠端（ＴＥＬＥ）それぞれにおける球面収差、非点収差、およびディストーションを示す図である。
【００９５】
なお、実施例３の実像式ズームファインダーは、アフォーカル系ファインダであり、上記表３Ａに示すように、広角端においてファインダー倍率ｍが０．３０倍、視野角２ωが６９．６度で、望遠端においてファインダー倍率ｍが１．２１倍、視野角２ωが１７．２度である。
【００９６】
上記データ等から解るように、実施例３の実像式ズームファインダーも、光学性能を低下させることなく撮影方向に薄型化することができるものである。
【００９７】
＜実施例４＞
図９は、実施例４の実像式ズームファインダーの構成および光路を展開して示す図である。
【００９８】
また、表４Ａは、実施例４の実像式ズームファインダーに関する諸データを示す図である。表４Ａの上段にはレンズデータが、下段には実像式ズームファインダーのズームに関するデータが示されている。
【表４Ａ】
2013005376.tif 000009
【００９９】
また、表４Ｂに実施例４の実像式ズームファインダーを構成する非球面の形状を表す非球面係数を示す。
【表４Ｂ】
2013005376.tif 000010
【０１００】
図１５は、実施例４の実像式ズームファインダーの広角端（ＷＩＤＥ）、および望遠端（ＴＥＬＥ）それぞれにおける球面収差、非点収差、およびディストーションを示す図である。
【０１０１】
なお、実施例４の実像式ズームファインダーは、アフォーカル系ファインダであり、上記表４Ａに示すように、広角端においてファインダー倍率ｍが０．４１倍、視野角２ωが５８．５度で、望遠端においてファインダー倍率ｍが１．６４倍、視野角２ωが１４．１度である。
【０１０２】
上記データ等から解るように、実施例４の実像式ズームファインダーも、光学性能を低下させることなく撮影方向に薄型化することができるものである。
【０１０３】
＜実施例５＞
図１０は、実施例５の実像式ズームファインダーの構成および光路を展開して示す図である。
【０１０４】
また、表５Ａは、実施例５の実像式ズームファインダーに関する諸データを示す図である。表５Ａの上段にはレンズデータが、下段には実像式ズームファインダーのズームに関するデータが示されている。
【表５Ａ】
2013005376.tif 000011
【０１０５】
また、表５Ｂに実施例５の実像式ズームファインダーを構成する非球面の形状を表す非球面係数を示す。
【表５Ｂ】
2013005376.tif 000012
【０１０６】
図１６は、実施例５の実像式ズームファインダーの広角端（ＷＩＤＥ）、および望遠端（ＴＥＬＥ）それぞれにおける球面収差、非点収差、およびディストーションを示す図である。
【０１０７】
なお、実施例５の実像式ズームファインダーは、アフォーカル系ファインダであり、上記表５Ａに示すように、広角端においてファインダー倍率ｍが０．２３倍、視野角２ωが７５．２度で、望遠端においてファインダー倍率ｍが０.９３倍、視野角２ωが２２．２度である。
【０１０８】
上記データ等から解るように、実施例５の実像式ズームファインダーも、光学性能を低下させることなく撮影方向に薄型化することができるものである。
【０１０９】
＜実施例６＞
図１１は、実施例６の実像式ズームファインダーの構成および光路を展開して示す図である。
【０１１０】
また、表６Ａは、実施例６の実像式ズームファインダーに関する諸データを示す図である。表６Ａの上段にはレンズデータが、下段には実像式ズームファインダーのズームに関するデータが示されている。
【表６Ａ】
2013005376.tif 000013
【０１１１】
また、表６Ｂに実施例６の実像式ズームファインダーを構成する非球面の形状を表す非球面係数を示す。
【表６Ｂ】
2013005376.tif 000014
【０１１２】
図１７は、実施例６の実像式ズームファインダーの広角端（ＷＩＤＥ）、および望遠端（ＴＥＬＥ）それぞれにおける球面収差、非点収差、およびディストーションを示す図である。
【０１１３】
なお、実施例６の実像式ズームファインダーは、アフォーカル系ファインダであり、上記表６Ａに示すように、広角端においてファインダー倍率ｍが０．３４倍、視野角２ωが６５．６度で、望遠端においてファインダー倍率ｍが１．３６倍、視野角２ωが１６．０度である。
【０１１４】
上記データ等から解るように、実施例６の実像式ズームファインダーも、光学性能を低下させることなく撮影方向に薄型化することができるものである。
【表７】
2013005376.tif 000015
【０１１５】
なお、本発明は、上記各実施例に限定されず、発明の要旨を変更しない限りにおいて種々の変形実施が可能である。例えば、各レンズの曲率半径、面間隔および屈折率の値などは、上記各表中に示した数値に限定されず、他の値を取り得る。
【図１】
2013005376.tif 000016
【図２】
2013005376.tif 000017
【図３】
2013005376.tif 000018
【図４】
2013005376.tif 000019
【図５Ａ】
2013005376.tif 000020
【図５Ｂ】
2013005376.tif 000021
【図６】
2013005376.tif 000022
【図７】
2013005376.tif 000023
【図８】
2013005376.tif 000024
【図９】
2013005376.tif 000025
【図１０】
2013005376.tif 000026
【図１１】
2013005376.tif 000027
【図１２】
2013005376.tif 000028
【図１３】
2013005376.tif 000029
【図１４】
2013005376.tif 000030
【図１５】
2013005376.tif 000031
【図１６】
2013005376.tif 000032
【図１７】
2013005376.tif 000033
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
物体側から順に、正の屈折力を有する変倍対物レンズ系、正立光学系、正の屈折力を有する接眼レンズ系からなる実像式ズームファインダーであって、
前記変倍対物レンズ系が、物体側から順に、負の屈折力を有する第１レンズと反射部材を物体側からこの順に配置してなり変倍時に固定される第１レンズ群、正の屈折力を有し変倍時に移動させる第２レンズ群、正の屈折力を有し変倍時に移動させる第３レンズ群からなり、
前記正立光学系が、前記変倍対物レンズ系によって形成された倒立逆像を正立正像に変換するための１つ以上の反射面を有するとともに、変倍時に固定されるものであり、
前記接眼レンズ系が、正の屈折力を有し変倍時に固定されるものであり、
以下の条件式（１）、（２Ａ）、（３）を同時に満足することを特徴とする実像式ズームファインダー。
１．５＜Ｕ２／Ｕ１＜３．０  ・・・（１）
１．７６≦｜ｆ２／ｆ１｜＜２．０  ・・・（２Ａ）
１．０＜ｆ３／ｆ２＜５．０  ・・・（３）
ただし、
Ｕ１：ズーム設定が望遠端に定められた状態における第１レンズの物体側のレンズ面から第２レンズ群中の最も物体側に配されたレンズ面までの光軸上の距離
Ｕ２：ズーム設定が望遠端に定められた状態における第１レンズの物体側のレンズ面から第２レンズ群中の最も物体側に配されたレンズ面までの光軸上の距離と、ズーム設定が広角端に定められた状態における第１レンズの物体側のレンズ面から第３レンズ群中の最も像側に配されたレンズ面までの光軸上の距離との差
ｆ１：第１レンズ群の焦点距離
ｆ２：第２レンズ群の焦点距離
ｆ３：第３レンズ群の焦点距離
【請求項２】
（削除）
【請求項３】
（削除）
【請求項４】
前記第１レンズ群中の反射部材が、前記第１レンズを通って入射した光の光路を前記第１レンズの光軸方向に対して直交する光軸直交方向へ折り曲げるものであり、
前記第２レンズ群および前記第３レンズ群が、前記折り曲げられて光軸直交方向へ伝搬する光の光路中に配置されたものであり、
前記正立光学系が、前記変倍対物レンズ系を通って前記光軸直交方向へ伝搬する光の光路を前記第１レンズの光軸方向に折り曲げるものであることを特徴とする請求項１記載の実像式ズームファインダー。
【請求項５】
請求項１または４記載の実像式ファインダーを備えたことを特徴とする撮影装置。
【国際調査報告】
2013005376.tif 000034
2013005376.tif 000035
2013005376.tif 000036
2013005376.tif 000037